(57)【要約】【課題】雪上環境、雪温、滑走斜面、雪上起伏など様々な条件下で滑走するスノーボードにおいて、身体の重心安定は非常に重要である。板をうまく利用して滑走する滑走技術、重心を乗せたり抜いたりする滑走技術で滑ること事で、スピード域の向上、滑走技術の向上、安定した視界の確保、障害物や人などの回避能力向上、技術上達などが実感できることが求められる摺動弾性式重心安定滑走補助構造を提供することである。【解決手段】本発明は、スノーボード板に埋没されているネジ穴に対し長手方向、短手方向に対し、基底面を広く取付ける事ができ、段付き穴／段付き長穴／波型段付き長穴を有す本体とし、可動用・固定用の２種類ある取付ネジ用スペーサーにて取付をし、足止め具取付ネジ穴を有する板状天板を取付けることで足止め具（ビンディング）を着けことができる摺動弾性式重心安定滑走補助構造である。 【選択図】図１９
2018019990.tif 000002
【特許請求の範囲】
【請求項１】
板状のものを本体として、補助構造本体の長手方向前後／短手方向左右に加工がされている段付き穴や波型段付き長穴の構造を使いスノーボード板の各種ネジ穴に対して、可動用と固定用の２種類ある取付ネジ用スペーサーを用いて取付を行い、補助構造本体の長手方向前後に加工されているネジ穴に、スノーボード用足止め具取付ネジ穴を有する板状天板の皿貫通穴を使いネジにて本体に取付けられる、摺動弾性式重心安定滑走補助構造。
【請求項２】
請求項１に記載の摺動弾性式重心安定滑走補助構造であって、可動用の取付ネジ用スペーサー形状は、貫通皿穴が開いており上部が四角で下部は回転防止の四角形状と円柱形状の２重構造で、下部２重構造の長さが、段付き穴／及び波型段付き長穴の１段目よりも長くなっているため、スノーボード板と補助構造本体をネジ止めした際に、わずかな隙間が生まれスノーボード板が衝撃を受け撓んだり捻れらりする際に、そのわずかな隙間があることで可動し補助構造本体の弾性力を利用することができ、可動用の取付ネジ用スペーサー上部の四角底面と補助構造本体の取付接合面においても摺動が働き摩擦摩耗も発揮されることとなり、耐衝撃性・摺動性を活かす仕組みである。また、固定用の取付ネジ用スペーサー形状は、貫通皿穴が開いており上部が変形菱形で下部は円柱形状で、下部の長さが、段付き穴／及び波型段付き長穴の１段目よりも短くなっているため、スノーボード板と補助構造本体をネジ止めした際に、隙間が生まれずしっかりと固定することができ、本体の波型部分とスペーサーの変形菱形部分が重なることで長手方向へのズレも固定することができ、力をしっかりと保持してその力を推進力に変えたり、しっかりと固定されることでスノーボード板の性能向上をもたらす仕組みである、摺動弾性式重心安定滑走補助構造。
【発明の詳細な説明】
【技術分野】
【０００１】
本発明は、耐候性に優れ、スノーボード板の撓みや捻れに対して摺動性／及び弾性作用を利用した、摺動弾性式重心安定滑走補助構造
【背景技術】
【０００２】
スノーボードは、雪上にて行われるスポーツであり、雪上滑走する際に、その環境は様々であるといえる。斜面の斜度、雪質、幅、視界、障害物、他の滑走中の人々などの影響により、滑走中のスピード、姿勢、視界などは様々に変化しスノーボードをコントロールする身体の重心は一定ではなく、安定感を失い重大な怪我や事故へとつながることがある。また、スノーボードにおいての身体の重心安定（ポジショニング）は非常に重要でり、板の反発、捻れをうまく利用して滑走する滑走技術、重心をしっかりと乗せ滑る滑走技術などで滑ること事で、スピード域の向上、滑走技術の向上、安定した視界の確保、障害物や人などの回避能力向上、技術上達などが実感できることが求められている。
【０００３】
前記のことを、追及していこうとすると、滑走中にスノーボードより発生する挙動（撓み・捻れ）制御、加重バランス制御、重心(ポジション）制御などが重要である。そのために、スノーボードに振動吸収、衝撃吸収などを装着したり、スノーボード板の剛性を強化するための補強板などは一部行われている。これらに関する文献もあり、以下にそれらの文献の説明する。
【０００４】
文献１は、特開２０１１-３６５１３の「雪上滑走具用可動プレート」がある。この発明は、雪上滑走具とビンディング等の取付具といたの間に取付ける、特に板のしなりに応じて可動する可動プレートであり、基板と回動端部と該回動端部が雪上滑走具に固定される可動部で構成されていて、長手方向に伸縮可能に取付けられているため、雪上滑走具のしなりに対して回動するだけでなく、長手方向にも伸縮することで、極めて自然な雪上滑走具のしなりを許容することを意図している。
【０００５】
文献２は、特開２０００-６１０２２の「スキー板、スノーボードと靴の締め具との間に装着する復元力補助装置」がある。この発明は、板とビンディングの間に、復元力補助装置として装着し、硬弾性材、及び軟弾性材を組合わせて構成されていて、板のしなり、ねじれの制御、復元力補助するものであり、板の耐久性、直進性を改善し旋回動作を制御し、板の安定した旋回ラインを通り復元力を利用して加速を補助することを意図している。
【０００６】
文献３は、特開２００３-２５０９４９の「スノーボードの操作性を高める装置とそのボード」がある。この発明は、スノーボードにて滑走する際に、足から伝わる力を一点に集中させ、板の中央部に取付けができ、荷重させることが出来る装置であり、その装置を取付けることの出来るスノーボードの板である。また装置を取付けることにより、滑走性能、回転性能などの操作性の向上により更なる総合運動性と安全性を持つ装置でありスノーボードであることを意図している。
【先行技術文献】
【特許文献】
【０００７】
【特許文献１】特開２０１１-３６５１３
【特許文献２】特開２０００-６１０２２
【特許文献３】特開２００３-２５０９４９
【発明の概要】
【発明が解決しようとする課題】
【０００８】
文献１は、スノーボードのしなりに対し、スノーボードとビンディング等の間に回動するだけでなく、長手方向にも伸縮する可動プレートを取付けることにより、ビンディング等の取付け用具によるスノーボード等のしなりの阻害を防ぎ、雪上の滑走性能向上と破損を防ぐことを有している。しかし、両足にて重心を取り滑走するスノーボードにおいて、前足、後ろ足と別々に可動プレートを取付けると、一定の雪上条件で滑ることのないスノーボードにおいて、スノーボードより受ける衝撃は長手方向のしなりだけではなく、ねじれなども生じ、場合によっては、どちらかの足元に大きな重心がかかり、可動域、伸縮域を超えた自然なしなりとはならず、これにより、転倒や事故や破損などが発生することもありえる事である。また、本体自体に軸体部などの支持するパーツがあり、本体自体のメンテナンスも重要であり、怠るとうまく動作を行わなかったり、過度の力がかかり破損することも考えられる。このことから、文献１は、しなりに対してある程度有効ではあると思われるが、それ以外の板の捻れ、振動、衝撃、雪上環境に対して対応がなされておらず、身体の重心安定が求められるスノーボードにおいて安定が求められるまでに至っていないものである。
【０００９】
文献２は、板とビンディングの間に取付けることにより、板のしなり、ねじれを抑制し、復元力補助をする装置である。しかし、センター部において前と後を軟弾性もしくわ硬弾性のブロックにて接続し、尚且つ、ビンディング取付けディスクブロックが装着される。このことから、素材の違う各パーツが接続され形状をなしているが、この形状では、各パーツに接続箇所が存在し、板のしなり、ねじれ、雪面状況から受ける様々な変化などに対して自然動きををするのは難しく、板への強い衝撃などが起こった場合、素材の違うパーツの組合せの反応の違いなどが現れたり、接続箇所の破損および不具合などが、発生することが考えらる。このことから、文献２は、板からの反応を抑制し、復元力補助をするには、十分な期待を得るということに至っていないものである。
【００１０】
文献３は、前足と後ろ足から伝わる力を中央部の１か所に集中させて、力を板に荷重させることが出来る装置であり、それを取り付けることが出来るスノーボードである。しかし、滑走中に雪面からうける起伏の変化、それに伴う板のしなり、ねじれなど板の挙動の力を、両足から中央部の１か所に荷重を集中さてしまうと、この装置上にてより重心コントロールが難しくなる。このことから、滑走性能や回転性能などの操作性を飛躍的に向上するようなことには至っていないものである。
【課題を解決するための手段】
【００１１】
請求項１は、多くのスノーボード板にある４ｘ４（フォーバイフォー）インサートホールと言われるネジ穴は、足止め具や補強板など取付けるためにあり、長手方向前後に右足用／左足用と分かれおり、短手方向中央に２列平行に埋没されている。その右足用／左足用の間隔は各種スノーボード異なり、位置、個数なども様々である。このネジ穴に対して、対応可能な補助構造本体に加工されている段付き穴や波型段付き長穴の構造を使い、可動用と固定用の２種類ある取付ネジ用スペーサーを用いて取付を行い、可動と固定を雪面状況や滑走者レベルに合わせて設定することで、板全体のバランスが強化され、滑走中の板の捻れや曲がりに対して必要な力をうまくコントロールすることができ、雪面より受ける衝撃を、板と本体の接合部分を摺動し摩擦特性が発揮され、足元の下で可動することにより、身体の重心安定（ポジショニング）をよりコントロールすることができるようになる、摺動弾性式重心安定滑走補助構造。
【００１２】
また請求項１は、多くのスノーボード板にある４ｘ４（フォーバイフォー）インサートホールと言われるネジ穴より、長手方向、短手方向ともにより外側に対して埋没されているネジ穴に対しても段付き穴を使用して補助構造本体を取付けることができる。それらのネジ穴を使い長手方向、短手方向ともにより端側にて取付けられることで、補助構造本体を雪上環境、滑走斜面、滑走技術レベルなどに合わせて、位置をセッティングしたり、可動用の取付ネジ用スペーサーを利用して可動させたり、固定用の取付ネジ用スペーサーを利用して固定をしたりして取り付けることが可能である。そして、両足の下に補助構造本体とスノーボード用足止め具取付ネジ穴を有する板状天板を入れることで、スノーボード板に埋没されているネジ穴に対して段付き穴を使い、可動用の取付ネジ用スペーサーを利用して可動セッティングをすることによって、重心をかける基底面が、直接スノーボード板へ足止め具をつけた時よりも広がり、スノーボード板の捻れや撓りに対して、可動箇所を有する補助構造本体があることにより、滑走中に受ける雪面からの伝達する力や衝撃など、スノーボード板の挙動を抑制したり、広がった基底面にてしっかりと捕らえることができるので身体へと受ける力を緩和させる。また、部分的に固定することも可能であり、固定することで両足から伝わる力を固定箇所にて保持することで、伝達した力を板の推進力へと変化させたりすることとなり、板自体の性能をより引き出す結果となる。また、環境に応じてのセッティングや滑走レベルに合わせてのセッティングができるので、様々な条件に応じた重心セッティングができるので、滑走中の重心の安定がもたらされ技術面だけでなく、セッティングを知ることで、思考面でのレベルアップも図ることができ、その効果を幅広いレベル人に実感してもらうことができ、スピード域の向上、滑走技術の向上、安定した視界の確保、障害物や人などの回避能力向上、技術上達などが実感できる摺動弾性式重心安定滑走補助構造。
【００１３】
請求項１は、補助構造本体の長手方向前後に加工されているネジ穴に、スノーボード用足止め具取付ネジ孔を有する板状天板の皿貫通孔を使いネジにて補助構造本体に取付けられるため、スノーボード板とビンディングのみで滑るときよりも、補助構造本体と板状天板の厚み分の高さが増すことで、高い位置に重心を置くことになり、そのことで、振り子の原理を利用し左右にあるエッジに対する体重移動が素早くなる、また、高くなることで重心が不安定になることが懸念されるが、それを補うのが、スノーボード板に対して長手・短手の両方向に対して基底面を広く取付ける構造である。そして、左右の体重移動が素早くなると、板の捻れや撓みに対しての反応もよくなり、基底面を広くなることで重心が一箇所に集まらず、板に対して一定の加重を与えることができ、的確な板の操作や自分の描くターンを実現することが可能となり、より一層の満足感を体感することのできる、摺動弾性式重心安定滑走補助構造。
【００１４】
請求項２は、摺動弾性式重心安定滑走補助構造の、可動用／固定用の取付ネジ用スペーサー形状と段付き穴／及び波型段付き長穴においての取付構造。
【００１５】
また請求項２は、可動用の取付ネジ用スペーサーと段付き穴／及び波型段付き長穴の取付構造を表しており、可動用の取付ネジ用スペーサー形状が、貫通皿穴が開いており上部が四角で下部は回転防止の四角形状と円柱形状の２重構造で、下部２重構造の長さが、補助構造本体の段付き穴／及び波型段付き長穴の１段目よりも長くなっているため、スノーボード板と補助構造本体との間に、わずかな隙間が生まれる。そして、そのわずかな隙間があることにより、雪面から衝撃を受けた際のスノーボード板の撓み捻れに対して、補助構造本体が可動することができ、補助構造本体も撓み捻れることで、受ける力を緩和抑制できたり、弾性力が発揮されるのでスノーボード板の復元力を補助することとなる。また様々な条件下で滑走し、撓み捻れが一定ではないスノーボード板において、可動用の取付ネジ用スペーサー上部の四角底面と補助構造本体の取付接合面が、受けた力に対して摺動することにより耐衝撃性が向上し、その際に生じる摩擦摩耗の起こる力により補助構造本体の動きをスムーズにする構造でもある、摺動弾性式重心安定滑走補助構造。
【００１６】
そして請求項２は、固定用の取付ネジ用スペーサーと段付き穴／及び波型段付き長穴の取付構造を表しており、固定用の取付ネジ用スペーサー形状が、貫通皿穴が開いており上部が変形菱形で下部は円柱形状で、下部の長さが、補助構造本体の段付き穴／及び波型段付き長穴の１段目よりも短くなっているため、スノーボード板と補助構造本体をネジ止めした際に、隙間が生まれずしっかりと固定することがでる。また補助構造本体の波型段付き長穴の２段目波型部分とスペーサーの上部の変形菱形部分が重なることで長手方向へ前後のズレも固定することができるので、雪面状況や滑走レベルなどに合わせて、固定することで撓みや捻れなどの力を保持したり、スノーボード板の推進力や復元力の補助することとなり、スノーボード板の性能向上をもたらす構造である、摺動弾性式重心安定滑走補助構造。
【発明の効果】
【００１７】
本発明の摺動弾性式重心安定滑走補助構造は、スノーボード板に埋没されている各種ネジ穴に対して、取付け可能な補助構造本体に加工されている段付き穴や波型段付き長穴の構造を使い、可動用と固定用の２種類ある取付ネジ用スペーサーを用いて取付を行い、雪上環境、滑走斜面、滑走技術レベルなどに合わせて、可動と固定をセッティングすることで、板全体のバランスが強化され、滑走中の板の捻れや曲がりに対して必要な力をうまくコントロールすることができ、雪面より受ける衝撃を、板と本体の接合部分を摺動し摩擦特性が発揮され、足元の下で可動したり固定することにより、身体の重心安定（ポジショニング）をよりコントロールすることができるようになる。
【００１８】
また、板の基底面に対して中央部にある４ｘ４（フォーバイフォー）インサートホールと言われるネジ穴より、長手方向、短手方向ともにより外側に対して埋没されているネジ穴に対して補助構造本体の段付き穴を使用し、可動用／固定用の取付ネジ用スペーサーにて取付けることで、重心をかける基底面が広がり、捻れや撓りに対して、可動箇所を有する補助構造本体があることにより、滑走中に受ける雪面からの伝達する力や衝撃など、スノーボード板の挙動を抑制したり、広がった基底面にてしっかりと捕らえることができるので身体へと受ける力を緩和させる。そして、部分的に固定することにより、両足から伝わる力を固定箇所にて保持することで、伝達した力を板の推進力へと変化させたりすることとなり、板自体の性能をより引き出す結果となる。また、環境に応じてのセッティングや滑走レベルに合わせてのセッティングができるので、様々な条件に応じた重心セッティングができるので、スピード域の向上、滑走技術の向上、安定した視界の確保、障害物や人などの回避能力向上、技術上達などが実感できるようになる。
【００１９】
そして滑走場所、雪上環境、滑走技術レベルなど様々な条件下で滑走するスノーボードにおいて、摺動弾性式重心安定滑走補助構造は、スタンス幅に対しての設定も幅広く、補助構造本体を決められた場所の取付けに留まらず長手方向前後へ移動することが可能で、段付き穴や波型段付き長穴の構造を使い、可動用と固定用の２種類ある取付ネジ用スペーサーを用いてよって、どこを可動／固定するかを設定でき、スノーボード用足止め具取付ネジ孔を有する板状天板の皿貫通孔を使いネジにて補助構造本体に取付けられるため、板状天板上においてもポジション設定が可能である。そうすることで、滑走者自身のレベルに合わせ設定でき、設定により板からの反応もかわるので、自身の滑走中の身体の重心安定（ポジショニング）が、とり易くなり、重心の安定を意識することが少なくなり、技術面だけでなく、思考面でのレベルアップが体感できるようになることから、スノーボードをより愉しむ結果となる。
【図面の簡単な説明】
【００２０】
【図１】摺動弾性式重心安定滑走補助構造の本体上面平面図
【図２】摺動弾性式重心安定滑走補助構造の本体斜形図
【図３】補助構造本体における波型段付き長穴の拡大上面平面図
【図４】図３のＤ１−Ｄ２断面図
【図５】図３のＤ３−Ｄ４断面図
【図６】アルペン板ワイド用の段付き穴と波型段付き長穴の位置・種類
【図７】アルペン板ナロー用の段付き穴と波型段付き長穴の位置・種類
【図８】フリースタイル板用の段付き穴と波型段付き長穴の位置・種類
【図９】可動用の取付ネジ用スペーサー展開図面
【図１０】図９のＦ１−Ｆ２断面図
【図１１】固定用の取付ネジ用スペーサー展開図面
【図１２】アルペン板ワイド用の板状天板１の上面平面図
【図１３】アルペン板ワイド用の板状天板２の上面平面図
【図１４】アルペン板ワイド用の板状天板３の上面平面図
【図１５】アルペン板ナロー用の板状天板の上面平面図
【図１６】フリースタイル板用の板状天板の上面平面図
【図１７】摺動弾性式重心安定滑走補助構造の全体斜形図
【図１８】摺動弾性式重心安定滑走補助構造の組付け実施例１斜形図
【図１９】摺動弾性式重心安定滑走補助構造の組付け実施例２斜形図
【図２０】摺動弾性式重心安定滑走補助構造の組付け実施例３斜形図
【発明を実施するための形態】
【００２１】
以下、本発明の実施の形態を説明する。
【００２２】
図面を説明すると、図１は摺動弾性式重心安定滑走補助構造本体の上から見た図面。図２は摺動弾性式重心安定滑走補助構造本体の斜形図。図３は補助構造本体における取付けなどで使用するの波型段付き長穴の拡大上面平面図で、波型段付き長穴の波型２段目１ｄ−１、波型段付き長穴の長穴部１ｄ−２、天板ビス回避溝３である。図４は図３のＤ１−Ｄ２断面図であり、波型段付き長穴の波型２段目深さ１ｄ−１−１、波型段付き長穴の長穴部１段目深さ１ｄ−２−１。図５は図３のＤ３−Ｄ４断面図であり、波型段付き長穴の波型２段目深さ１ｄ−１−１、波型段付き長穴の長穴部１段目深さ１ｄ−２−１、天板ビス回避溝３である。
【００２３】
図面を説明すると、図６はアルペン板ワイド用摺動弾性式重心安定滑走補助構造本体Ａにおける、段付き穴１ａ、段付き長穴２ａ、中央波型段付き穴１ｃ、波型段付き長穴１ｄの配置である。図７はアルペン板ナロー用摺動弾性式重心安定滑走補助構造本体Ｂにおける、段付き穴１ａ、段付き長穴２ａ、波型段付き長穴１ｄの配置である。図８はフリースタイル用 摺動弾性式重心安定滑走補助構造本体Ｃにおける、フリースタイル用段付き長穴１ｅ、フリースタイル用中央段付き長穴２ｅ、波型段付き長穴１ｄの配置である。
【００２４】
図面を説明すると、図９は、四角座面部１Ｆ、四角回転防止部２Ｆ、可動用円柱型部３Ｆ、可動用皿ネジ受部４Ｆ、可動用皿貫通穴５Ｆで構成される可動用の取付ネジ用スペーサーＦである。図１０は、図９のＦ１−Ｆ２断面図。図１１は、座面部１Ｇ、固定用円柱型部２Ｇ、固定用皿ネジ受部３Ｇ、固定用皿貫通穴４Ｇで構成される固定用の取付ネジ用スペーサーＧである。
【００２５】
図面を説明すると、図１２〜図１４は、アルペン板ワイド用摺動弾性式重心安定滑走補構造本体Ａの板状天板取付け用ネジ穴１ｂに対してビスにて取付をする、足止め具取付ネジ穴を有する板状天板１Ｈで、天板皿貫通穴２Ｈは、１連穴／及び３連穴とあり、天板皿貫通穴２Ｈを利用して補助構造本体にビス止めし、足止め具取付ネジ穴３Ｈは、滑走者のスタンス幅に応じてビンディングを取付ける事ができ、前後の位置も移動することができ、段付き長穴用の長穴４Ｈは、板状天板を補助構造本体に取付けた状態でも、補助構造本体の段付き長穴の取付ネジ専用スペーサーＦ／Ｇを取り外し出来る長穴である。
【００２６】
図面を説明すると、図１５は、スノーボードアルペン板ナロー用摺動弾性式重心安定滑走補助構造本体Ｂの板状天板取付け用ネジ穴１ｂに対してビスにて取付をする、足止め具取付ネジ穴を有する板状天板１Ｈで、天板皿貫通穴２Ｈは３連孔であり、天板皿貫通穴２Ｈを利用して補助構造本体にビス止めし、足止め具取付ネジ穴３Ｈは、滑走者のスタンス幅に応じてビンディングを取付ける事ができ、前後の位置も移動することができる。
【００２７】
図面を説明すると、図１６はスノーボードフリースタイル用摺動弾性式重心安定滑走補助構造本体Ｃの板状天板取付け用ネジ穴１ｂに対してビスにて取付をする、足止め具取付ネジ穴を有する板状天板１Ｈで、天板皿貫通穴２Ｈは３連孔であり、天板皿貫通穴２Ｈを利用して補助構造本体にビス止めし、足止め具取付ネジ穴３Ｈは、滑走者のスタンス幅に応じてビンディングを取付ける事ができ、前後の位置も移動することができる。軽量化長穴５Ｈは軽量化を図るための長穴である。
【００２８】
図面を説明すると、図１７はアルペン板ワイド用摺動弾性式重心安定滑走補助構造本体Ａと足止め具取付ネジ孔を有する板状天板１Ｈを組合わせた全体斜形図である。図１８はアルペン板ワイド用摺動弾性式重心安定滑走補助構造本体Ａの、波型段付き長穴１ｄに、可動用の取付ネジ用スペーサーＦ／及び固定用の取付ネジ用スペーサーＧを使用し、足止め具取付ネジ穴を有する板状天板１Ｈを板状天板取付け用ネジ穴１ｂに組付けを現した全体斜形図の一例である。図１９はアルペン板ワイド用摺動弾性式重心安定滑走補助構造本体Ａの、段付き長穴２ａ、中央波型段付き穴１ｃ、波型段付き長穴１ｄに、可動用の取付ネジ用スペーサーＦ／及び固定用の取付ネジ用スペーサーＧを使用し、足止め具取付ネジ穴を有する板状天板１Ｈを板状天板取付け用ネジ穴１ｂに組付けを現した全体斜形図の一例である。図２０はアルペン板ワイド用摺動弾性式重心安定滑走補助構造本体Ａの、段付き穴１ａ、段付き長穴２ａに、可動用の取付ネジ用スペーサーＦ／及び固定用の取付ネジ用スペーサーＧを使用し、足止め具取付ネジ穴を有する板状天板１Ｈを板状天板取付け用ネジ穴１ｂに組付けを現した全体斜形図の一例である。
【００２９】
以下、本発明の好ましい取付実施例を説明する。
【００３０】
以下、本発明の１つ目の実施例を図１〜図６、図９〜図１４、図１７、図１８にて説明する。この一例では、板状の補助構造本体と可動用・固定用の２種類ある取付ネジ用スペーサーの素材を、熱可塑性樹脂においてエンジニアリングプラスチックに分類されおり、強靭性・耐衝撃性・柔軟性があり、最も引張強さが大きく、低温でも高温でも比較的広い温度範囲でかなりの強度を示すＭＣナイロンの中でも、特殊グラファイトを配合した耐候性向上品のＭＣ８０１を使用し、スノーボード用足止め具取付ネジ穴を有する板状天板の素材には、アルミを利用した一例である。素材に関してはこの限りではない。図１・図２・図６を補助構造本体として図３〜図５の波型段付き長穴を利用して、図９〜図１１の可動用・固定用の２種類ある取付ネジ用スペーサーにてスノーボードと取付をし、図１２〜図１４のスノーボード用足止め具取付ネジ穴を有する板状天板を補助構造本体のネジ穴に対して皿貫通穴を使い取付けをし、足止め具が取付けれるように設置をし、図１８のように組付けをする。この摺動弾性式重心安定滑走補助構造は、スノーボードアルペン板ワイド用に板状の素材を一体加工をし、スノーボード板の基底面に対して中央部にある４ｘ４（フォーバイフォー）インサートホールと言われる標準的にあるネジ穴対応の図３〜図５の波型段付き長穴１ｄを使い、可動用の取付ネジ用スペーサーＦ、固定用の取付ネジ用スペーサーＧを利用して、滑走方向に対して前足側を可動とし、後足側を固定とした取付の組合わせの実施例である。この一例では、4ｘ4インサートホール対応の波型段付き長穴１ｄの前後の幅が44.0mm〜56.0mmと補助構造本体に加工されているので、スノーボード板に対して、取付け幅も広くなっており、前後へ移動が可能である。また、可動用の取付ネジ用スペーサーＦ、固定用の取付ネジ用スペーサーＧを各4個づつ使用して、波型段付き長穴１ｄに対して、可動する場合は、波型段付き長穴の長穴部１ｄ−２と可動用の取付ネジ用スペーサーＦを合わせることで可動設置することができ、固定する場合は、波型段付き長穴の波型２段目１ｄ−１と固定用の取付ネジ用スペーサーＧを合わせることで固定設置ができるので設定の幅が広がる。そして、補助構造本体に取付けるスノーボード用足止め具取付ネジ穴を有する板状天板を、図１２〜図１４のいずれかに変更することにより、足止め具間の幅も変更することができる。このように弾性式重心安定滑走補助構造は、スノーボード板に対してセッティングする方法の幅が広く、様々な条件下で滑走するスノーボードにおいて、非常に有効であり、自身の滑走中の身体の重心安定（ポジショニング）が、とり易くなり、重心の安定を意識することが少なくなり、技術面だけでなく、思考面でのレベルアップも図ることができる。
【００３１】
以下、本発明の２つ目の実施例を図１〜図６、図９〜図１４、図１７、図１９にて説明する。この一例では、板状の補助構造本体と可動用・固定用の２種類ある取付ネジ用スペーサーの素材を、熱可塑性樹脂においてエンジニアリングプラスチックに分類されおり、強靭性・耐衝撃性・柔軟性があり、最も引張強さが大きく、低温でも高温でも比較的広い温度範囲でかなりの強度を示すＭＣナイロンの中でも、特殊グラファイトを配合した耐候性向上品のＭＣ８０１を使用し、スノーボード用足止め具取付ネジ穴を有する板状天板の素材には、アルミを利用した一例である。素材に関してはこの限りではない。図１・図２・図６を補助構造本体として図３〜図５の波型段付き長穴と段付き長穴２ａと中央波型段付き穴１ｃを利用して図９〜図１１の可動用・固定用の２種類ある取付ネジ用スペーサーにてスノーボードと取付をし、図１２〜図１４のスノーボード用足止め具取付ネジ穴を有する板状天板を、補助構造本体のネジ穴に対して皿貫通穴を使い取付けをし、足止め具が取付けれるように設置をし、図１９のように組付けをする。この摺動弾性式重心安定滑走補助構造は、スノーボードアルペン板ワイド用に板状の素材を一体加工をし、スノーボード板の基底面に対して中央部にある４ｘ４（フォーバイフォー）インサートホールと言われる標準的にあるネジ穴対応の波型段付き長穴１ｄ、中心にあるインサートホール対応の中央波型段付き穴１ｃ、より外側にあるインサートホール対応の段付き長穴２ａを利用することにより、波型段付き長穴１ｄのみで取付けた場合よりも、前後左右ともより外側にて段付き長穴２ａを利用して、図９〜図１１の可動用・固定用の２種類ある取付ネジ用スペーサーにてスノーボードと取付けることで基底面を広げ、中央波型段付き穴１ｃを使用したことにより、中心から押さえる事でき、可動する範囲と固定する範囲を変える事ができる。可動範囲においては、板から受ける様々な衝撃に対し、実施例にて使用した素材の特性でもある強靭性・耐衝撃性・摺動性が発揮され、力を緩和したり抑制することができ、固定範囲においては、板より伝達する力をしっかりと推進力へ移行したり板の復元力向上が図られる。尚且つ段付き長穴２ａを使用することで、板に対しての基底面がしっかりと広がり補助構造本体の、性能を十分に発揮する状態となり、衝撃緩和や抑制が図られ、板に対する荷重や重心移動が容易となり、基底面が前後左右に広くなることから、重心を置くポイント幅が広がり、ひいては身体の重心安定につながり、スピード域の向上、滑走技術の向上、安定した視界の確保、障害物や人などの回避能力向上、技術上達などが実感できるようになる。
【００３２】
以下、本発明の３つ目の実施例を図１〜図６、図９〜図１４、図１７、図２０にて説明する。この一例では、板状の補助構造本体と可動用・固定用の２種類ある取付ネジ用スペーサーの素材を、熱可塑性樹脂においてエンジニアリングプラスチックに分類されおり、強靭性・耐衝撃性・柔軟性があり、最も引張強さが大きく、低温でも高温でも比較的広い温度範囲でかなりの強度を示すＭＣナイロンの中でも、特殊グラファイトを配合した耐候性向上品のＭＣ８０１を使用し、スノーボード用足止め具取付ネジ穴を有する板状天板の素材には、アルミを利用した一例である。素材に関してはこの限りではない。図１・図２・図６を補助構造本体として、段付き穴１ａと段付き長穴２ａを利用し、図９〜図１１の可動用・固定用の２種類ある取付ネジ用スペーサーにてスノーボードと取付をし、図１２〜図１４のスノーボード用足止め具取付ネジ穴を有する板状天板を補助構造本体のネジ穴に対して皿貫通穴を使い取付けをし、足止め具が取付けれるように設置をし、図２０のように組付けをする。この摺動弾性式重心安定滑走補助構造は、スノーボードアルペン板ワイド用に板状の素材を一体加工をし、スノーボード板の基底面に対して中央部にある４ｘ４（フォーバイフォー）インサートホールと言われる標準的にあるネジ穴より外側にあるインサートホール対応の段付き穴１ａと段付き長穴２ａを利用して、図９〜図１１の可動用・固定用の２種類ある取付ネジ用スペーサーにてスノーボードと取付をすることで、最大限に基底面の広さをとることのできる取付方法である。基底面を広げることにより、板との一体感が増し、摺動弾性式重心安定滑走補助構造本体の中央部分にかかる力も素材の特性力により板に対して効力が機能し、しっかりとした力の伝達することが可能となっている。また外側にて止める事により、足元からくる力を、一箇所に集めることなく、分散するてめ重心が安定しり確実な滑走中の身体の重心安定（ポジショニング）をコントロールすることができるようになる。
【００３３】
上記にて本発明の３つの実施例を記述した。本発明において、本体形状は、他にも図７の幅が細くスタンス幅の狭い板に対応するスノーボードアルペン板ナロー用にて開発がされたアルペン板ナロー用摺動弾性式重心安定滑走補助構造本体Ｂもある。そして、波型段付き長穴１ｄ、段付き穴１ａ、段付き長穴２ａを利用して、図９〜図１１の可動用・固定用の２種類ある取付ネジ用スペーサーにてスノーボードと取付をし、板状天板取付け用ネジ穴１ｂに、図１５のスノーボード用足止め具取付ネジ穴を有する板状天板の皿貫通穴を使い取付けをし、足止め具が取付けれるように設置する組付けは同じである。スノーボードアルペンナロー板は、細くスタンス幅が狭いので、重心を置くポイントが狭く、重心安定がより重要となる。そのことから、スノーボード板の基底面に対して中央部にある４ｘ４（フォーバイフォー）インサートホールと言われる標準的にあるネジ穴より外側にあるインサートホール対応の段付き穴１ａ、段付き長穴２ａを利用してより外側にて止めることは、スノーボード板に対して重心を置く基底面が、中央部にある４ｘ４（フォーバイフォー）インサートホール対応の波型段付き長穴１ｄのみを利用しているだけのときよりも基底面が一層広がることで、基底面が少ないスノーボードアルペンナロー板において、足元からくる力を、一箇所に集めることなく、分散するてめ重心が安定しり確実な滑走中の身体の重心安定（ポジショニング）をコントロールすることができるようになる。
【００３４】
そして、他にも図８の幅が広くスタンス幅の広いフリースタイルスノーボード板用にて開発がされたフリースタイル用摺動弾性式重心安定滑走補助構造本体Ｃもある。そして、波型段付き長穴１ｄ、フリースタイル用段付き長穴１ｅ、フリースタイル用中央段付き穴２ｅを利用して、図９〜図１１の可動用・固定用の２種類ある取付ネジ用スペーサーにてスノーボードと取付をし、板状天板取付け用ネジ穴１ｂに、図１６のスノーボード用足止め具取付ネジ穴を有する板状天板の皿貫通穴を使い取付けをし、足止め具が取付けれるように設置する組付けは同じである。フリースタイル板は基本的に幅が広くスタンス幅も広いため板の剛性や柔軟性に特化することが難しく、基本的には、波型段付き長穴１ｄを利用し、より外側や中央にインサートホールが埋設されている板に関しては、フリースタイル用段付き長穴１ｅ、フリースタイル用中央段付き穴２ｅを利用し、板に無い摺動弾性を使うことで、板の剛性を強化したり、挙動を抑制し滑走中の重心を置いているポジションに直接伝わらないよう力を分散したり、板に対して荷重をした場合、板との接合性もよくなり、基底面が広がりより確実な荷重コントロールが可能となり、滑走中の身体の重心安定（ポジショニング）をコントロールすることができるようになる。
【符号の説明】
【００３５】
Ａ  アルペン板ワイド用 摺動弾性式重心安定滑走補助構造本体
Ｂ  アルペン板ナロー用 摺動弾性式重心安定滑走補助構造本体
Ｃ  フリースタイル用 摺動弾性式重心安定滑走補助構造本体
１  Ｃ面加工部
２  弾性調整軽量化穴
３  天板ビス回避溝
４  弾性調整Ｕ加工溝
１ａ  段付き穴
２ａ  段付き長穴
１ｂ  板状天板取付け用ネジ穴
１ｃ  中央波型段付き穴
１ｄ  波型段付き長穴
１ｄ−１  波型段付き長穴の波型部
１ｄ−２  波型段付き長穴の長穴部
１ｄ−１−１  波型段付き長穴の波型部深さ
１ｄ−２−１  波型段付き長穴の長穴部深さ
１ｅ  フリースタイル用段付き長穴
２ｅ  フリースタイル用中央段付き穴
Ｆ    可動用の取付ネジ用スペーサー
１Ｆ  四角座面部
２Ｆ  四角回転防止部
３Ｆ  可動用円柱型部
４Ｆ  可動用皿ネジ受部
５Ｆ  可動用皿貫通穴
Ｇ    固定用の取付ネジ用スペーサー
１Ｇ  変形菱形座面部
２Ｇ  固定用円柱型部
３Ｇ  固定用皿ネジ受部
４Ｇ  固定用皿貫通穴
１Ｈ  足止め具取付ネジ孔を有する板状天板
２Ｈ  天板皿貫通穴
３Ｈ  足止め具取付ネジ穴
４Ｈ  段付き長穴用の長穴
５Ｈ  軽量化長穴
【図１】
2018019990.tif 000003
【図２】
2018019990.tif 000004
【図３】
2018019990.tif 000005
【図４】
2018019990.tif 000006
【図５】
2018019990.tif 000007
【図６】
2018019990.tif 000008
【図７】
2018019990.tif 000009
【図８】
2018019990.tif 000010
【図９】
2018019990.tif 000011
【図１０】
2018019990.tif 000012
【図１１】
2018019990.tif 000013
【図１２】
2018019990.tif 000014
【図１３】
2018019990.tif 000015
【図１４】
2018019990.tif 000016
【図１５】
2018019990.tif 000017
【図１６】
2018019990.tif 000018
【図１７】
2018019990.tif 000019
【図１８】
2018019990.tif 000020
【図１９】
2018019990.tif 000021
【図２０】
2018019990.tif 000022